(57)【要約】【課題】  繰り返して扉の開閉動作を行っても、扉の閉鎖位置において、開口部の密閉性を良好に維持できる扉の開閉構造を提供することを目的とする。【解決手段】  扉３が陶芸窯の開口部４を閉鎖する閉鎖位置において、扉３の他端を窯本体２に向かって付勢する第一の付勢手段と、扉３の一端３ａを回動自在に係合する回転軸１１と、回転軸１１に接続され窯本体２の開口面とは直交する向きに延出する軸部材１２と、軸部材１２が軸方向にスライド自在に係合されると共に窯本体２に固定された筒状部材１４と、軸部材１２を軸方向に沿って回転軸１１とは反対側へ付勢するスプリング１６と、を備えている。【選択図】  図３
2006200794.tif 000002
【特許請求の範囲】
【請求項１】
陶芸作品を収納する開口部を有する窯本体と、
一端が前記窯本体に回動自在に支持され、回動動作に伴って前記開口部を開閉す
る扉と、
を備えた陶芸窯の扉の開閉構造であって、
前記扉が前記陶芸窯の開口部を閉鎖する閉鎖位置において、該扉の他端を該窯本体に向かって付勢する第一の付勢手段と、
前記扉の一端が回動自在に係合された回転軸と、
前記回転軸に接続され前記窯本体の開口面とは直交する向きに延出する軸部材と、
前記軸部材が軸方向にスライド自在に係合され、前記窯本体に固定された筒状部材と、
前記軸部材を、軸方向に沿って前記回転軸とは反対側へ付勢する第二の付勢手段と、
を備えていることを特徴とする陶芸窯の扉の開閉構造。
【請求項２】
前記第二の付勢手段は、
前記軸部材が前記回転軸とは反対側に前記筒状部材から突出し、その先端側に大径部を備えると共に、前記筒状部材の前記大径部側端部と該大径部の端部との間に、前記軸部材の周囲に沿って螺旋状に巻かれたコイル状のスプリングを備え、
前記スプリングが前記筒状部材に対して前記大径部が離間する方向にバネ圧を付勢するように構成されている、
ことを特徴とする請求項１に記載の陶芸窯の扉の開閉構造。
【請求項３】
前記大径部は、前記軸部材にネジによって羅合するナットであって、羅合により、該軸部材の軸方向に沿ってその位置を移動できるように構成されていることを特徴とする、
請求項２に記載の陶芸窯の扉の開閉構造。
【請求項４】
前記回転軸が窯本体の外側に配置されて、前記窯本体には、前記開口部側の上面の一端側に、前記扉の一端側を揺動自在に支持する支持部が備えられ、
前記支持部が、軸方向が前記扉の回動方向とは直交する向きに配設された、略円形断面の棒材である、
ことを特徴とする請求項２に記載の陶芸窯の扉の開閉構造。
【請求項５】
前記支持部は、前記窯本体に対して回動自在に係合している、
ことを特徴とする請求項２乃至請求項４の何れか記載の陶芸窯の扉の開閉構造。
【請求項６】
前記扉の一端は、前記閉鎖位置において前記筒状部材に対して軸方向に離間し、前記閉鎖位置から前記開口部を開放する前記扉の回動に伴って、該筒状部材に近接して当接し、所定の回動位置において、前記筒状部材の端面に係合して該扉の回動を停止させるように構成されている、
ことを特徴とする請求項１乃至請求項５の何れか記載の陶芸窯の扉の開閉構造。
【発明の詳細な説明】
【技術分野】
【０００１】
本発明は、扉の一端が窯本体に回動自在に支持され、扉を回動して窯本体の開口部を開閉する陶芸窯の扉の支持構造に関する。
【背景技術】
【０００２】
従来、粘土を原料として造形された陶芸作品を。所定の強度及び外観を得るために、焼成炉内で焼成する陶芸窯が知られている。また、陶芸窯には、扉の一端が窯本体に回動自在に支持され、扉を回動させて窯本体の開口部を開閉するように構成されているものがある。
【０００３】
ところで、陶芸窯は、扉が窯本体の開口部を閉鎖する閉鎖位置においては、この開口部を隙間なく密閉することが求められる。そこで、開口部の周縁に弾性を有するパッキンを配設し、パッキンを介して、開口部に扉を重ねてこの開口部を密閉するように構成されたものがある。さらに、パッキンが、加熱されて収縮が歪が生じたり弾性が損なわれたりすると、開口部を閉鎖する閉鎖位置において、開口部の密閉性が損なわれる虞があるので、扉の他端を窯本体に向かって付勢するレバーを備えたものがある（例えば、特許文献１、２参照）。
【特許文献１】特開２００４―２４５４３３号公報        特開平１１−０４０３３２号公報
【発明の開示】
【発明が解決しようとする課題】
【０００４】
しかしながら、従来の扉の開閉構造によれば、閉鎖位置において、扉を窯本体に付勢する付勢手段を扉の他端側のみに備え、扉の一端側（支持側）には、扉を窯本体に向かって付勢する付勢手段を備えていないので、繰り返して扉の開閉動作を行うに伴い、扉の一端側における開口部の密閉性が損なわれる虞があった。
【０００５】
そこで、本発明は、繰り返して扉の開閉動作を行っても、扉の閉鎖位置において、開口部の密閉性を良好に維持できる扉の開閉構造を提供することを目的とする。
【課題を解決するための手段】
【０００６】
かかる目的を達成するためになされた請求項１に記載の発明は、陶芸作品を収納する開口部を有する窯本体と、一端が前記窯本体に回動自在に支持され、回動動作に伴って前記開口部を開閉する扉と、を備えた陶芸窯の扉の開閉構造であって、前記扉が前記陶芸窯の開口部を閉鎖する閉鎖位置において、該扉の他端を該窯本体に向かって付勢する第一の付勢手段と、前記扉の一端が回動自在に係合された回転軸と、前記回転軸に接続され前記窯本体の開口面とは直交する向きに延出する軸部材と、前記軸部材が軸方向にスライド自在に係合され、前記窯本体に固定された筒状部材と、前記軸部材を、軸方向に沿って前記回転軸とは反対側へ付勢する第二の付勢手段と、を備えていることを特徴とする。
【０００７】
請求項１に記載の陶芸窯の扉の開閉構造によれば、扉が陶芸窯の開口部を閉鎖する閉鎖位置において、扉の他端が付勢手段を介して陶芸窯本体に向かって付勢されると共に、扉の一端側を回動自在に支持する回転軸が、軸部材、筒状部材及び第二の付勢手段を介して、陶芸窯本体に向かって付勢されるように構成されているので、繰り返して扉の開閉動作を行っても、閉鎖位置において開口部の密閉性を良好に維持できる。
【０００８】
次に、請求項２に記載の発明は、請求項１に記載の陶芸窯の扉の開閉構造において、前記第二の付勢手段は、前記軸部材が前記回転軸とは反対側に前記筒状部材から突出し、その先端側に大径部を備えると共に、前記筒状部材の前記大径部側端部と該大径部の端部との間に、前記軸部材の周囲に沿って螺旋状に巻かれたコイル状のスプリングを備え、前記スプリングが前記筒状部材に対して前記大径部が離間する方向にバネ圧を付勢するように構成されている、ことを特徴とする。
【０００９】
請求項２に記載の陶芸窯の扉の開閉構造によれば、軸部材の大径部が筒状部材に対して離間する方向にコイル状のスプリングにより付勢されるに伴って、回転軸にも同じ方向に付勢力が作用し、扉の閉鎖位置において、回転軸が係合する扉の一端側を窯本体に向かって付勢する付勢力を発現できる。
【００１０】
次に、請求項３に記載の発明は、請求項２に記載の陶芸窯の扉の開閉構造において、前記大径部は、前記軸部材にネジによって羅合するナットであって、羅合により該軸部材の軸方向に沿ってその位置を移動できるように構成されていることを特徴とする。
【００１１】
請求項３に記載の陶芸窯の扉の開閉構造によれば、ナットが、軸部材との羅合により軸部材の軸方向に沿ってその位置を移動できるように構成されているので、筒状部材とナットとの間隔を調整し、第二の付勢手段（コイル状のスプリング）の付勢力を調整できる。
【００１２】
次に、請求項４に記載の発明は、請求項２に記載の陶芸窯の扉の開閉構造において、前記回転軸が窯本体の外側に配置されて、前記窯本体には、前記開口部側の上面の一端側に、前記扉の一端側を揺動自在に支持する支持部が備えられ、前記支持部が、軸方向が前記扉の回動方向とは直交する向きに配設された、略円形断面の棒材である、ことを特徴とする。
【００１３】
請求項４に記載の陶芸窯の扉の開閉構造によれば、回転軸が窯本体の外側に配置されて、窯本体には、開口部側の上面の一端側に、扉の一端側を揺動自在に支持する支持部が備えられ、支持部が、軸方向が前記扉の回動方向とは直交する向きに配置されているので、扉の開閉動作において、この支持部を支点として回転軸及び扉を揺動させることができる。また、この際、支持部が軸方向が扉の回動方向とは直交する向きに配設された略円形断面の棒材で構成されていれば、安定して扉の揺動を得ることができる。
【００１４】
次に、請求項５に記載の発明は、請求項２乃至請求項４の何れか記載の陶芸窯の扉の開閉構造において、前記支持部は、前記窯本体に対して回動自在に係合している、ことを特徴とする。
【００１５】
請求項５に記載の陶芸窯の扉の開閉構造によれば、支持部が窯本体に対して回動自在に係合しているので、扉がこの支持部に当接して揺動する際の摩擦抵抗が低減され、その動作を円滑に行うことができる。
【００１６】
次に、請求項６に記載の発明は、請求項１乃至請求項５の何れか記載の陶芸窯の扉の開閉構造において、前記扉の一端は、前記閉鎖位置において前記筒状部材に対して軸方向に離間し、前記閉鎖位置から前記開口部を開放する前記扉の回動に伴って、該筒状部材に近接して当接し、所定の回動位置において、前記筒状部材の端面に係合して該扉の回動を停止させるように構成されている、ことを特徴とする。
【００１７】
請求項６に記載の陶芸窯の扉の開閉構造によれば、扉の一端が、閉鎖位置において、筒状部材に対して軸方向に離間し、扉の閉鎖位置から開口部を開放する回動に伴って、筒状部材に近接して当接し、所定の回動位置において、筒状部材の端面に係合して扉の回動を停止させるように構成されているので、閉鎖位置から開口部を開放する扉の回動に伴って、第二の付勢手段の付勢力が徐々に減少し、開放位置では閉鎖位置より付勢力を低く抑えることができ、第二の付勢手段の寿命を向上させ、扉の開閉動作を長期にわたって安定して維持できる。また、請求項６に記載の陶芸窯の扉の開閉構造によれば、開放位置から閉鎖位置に向かって扉を回動させる際には、第二の付勢手段によって発現する回動に抗する力が、閉鎖位置における力に較べ開放位置における力が低いので、回動を円滑に行うことができる。さらに、請求項６に記載の陶芸窯の扉の開閉構造によれば、所定の開放位置において、扉の一端が筒状部材の端面に係合して扉の開放に向かう回動を停止させるように構成されているので、扉を所定の解放位置で容易に停止させることができ、操作性に優れたものとなる。
【発明の効果】
【００１８】
本発明の扉の開閉構造によれば、扉が陶芸窯の開口部を閉鎖する閉鎖位置において、扉の他端が付勢手段を介して陶芸窯本体に向かって付勢されると共に、扉の一端側を回動自在に支持する回転軸が、軸部材、筒状部材及び第二の付勢手段を介して、陶芸窯本体に向かって付勢されるように構成されているので、繰り返して扉の開閉動作を行っても、閉鎖位置において開口部の密閉を良好に維持できる。また、開放位置では閉鎖位置に較べ第二の付勢手段による付勢力を低く抑えることができるので、第二の付勢手段の寿命を向上させ、扉の開閉動作を長期にわたって良好に維持できる。また、開放位置では閉鎖位置に較べ第二の付勢手段による付勢力を低く抑えることができるので、開放位置から閉鎖位置に向かって扉を回動させる際に、扉の回動を円滑に行うことができる。
【発明を実施するための最良の形態】
【００１９】
次に、本発明の陶芸窯の扉の開閉構造の一実施例を、図面にもとづいて説明する。図１は、扉の開閉動作を表す説明図であって、（ａ）が扉の閉鎖位置、（ｂ）が扉の回動途中の位置、（ｃ）が扉の開放位置を表す図である。図２は、図１中における矢印Ａ方向から表した陶芸窯の外観図、図３は、図２中におけるＹ―Ｙ断面図である。
【００２０】
図１に表したように、陶芸窯１は、窯本体２、窯本体２の側部に一端が回動自在に装着された扉３、等を備えている。そして、窯本体２には、陶芸作品が収納されて焼成される開口部４が備えられ、扉３の回動に伴って、その開口部４の開閉が行われる。また、図１（ａ）に表したように、開口部４が閉鎖された閉鎖位置においては、レバー５が扉３の他端側の外面に係合して、扉３を窯本体２に押し付ける付勢力を発現する。レバー５は、回転軸６を介して窯本体２に対して回動自在に取り付けられており、回転軸６を中心に回動させることにより、扉３の閉鎖位置において扉３に係合させたりこの係合を解除させたりできるように構成されている。本発明の第一の付勢手段は、レバー５及び回転軸６によってその機能が発現される。
【００２１】
また、図３に表したように、扉３の閉鎖位置においては、窯本体２の開口部４を隙間なく密閉できるように、窯本体２の開口部４周縁には、弾性を有するパッキン７が係合して備えられ、パッキン７を介して扉３と窯本体２とを密着させるように構成されている。
【００２２】
次に、扉３の一端側は、窯本体２の外方に配設された回転軸１１に回動自在係合している。詳しくは、図２、図３に表したように、扉３には回転軸１１の両端を回動自在に係合する支持具２０、２１が備えられ、支持具２０、２１を介して、扉３の一端と回転軸１１とが係合している。
【００２３】
また、陶芸窯１は、回転軸１１に接続され窯本体２の開口面とは直交する向きに延出する軸部材１２と、軸部材１２が軸方向にスライド自在に係合され、窯本体２に固定具１３を介して固定された筒状部材１４とを備えている。
【００２４】
また、陶芸窯１は、軸部材１２が回転軸１１とは反対側に筒状部材１４から突出し、その先端側に軸部材１２の径より大きい外径を有するナット（所謂、本発明における大径部である。）１５が羅合して備えられている。さらに、陶芸窯１は、筒状部材１４の軸方向のナット１５側に位置する端部とナット１５の端部との間に、軸部材１２の周囲に沿って螺旋状に巻かれたコイル状のスプリング１６を備え、スプリング１６の一端が固定具１３を介して筒状部材１４の端部に当接すると共にスプリング１６の他端がナット１５の端部に当接し、筒状部材１４に対してナット１５が離間する方向にバネ圧を付勢するように構成されている。固定具１３は、図２に表したように、複数のネジ１７によって窯本体に固定されている。
【００２５】
また、ナット１５は、軸部材１２にネジによって羅合しており、その位置を軸部材１２の軸方向に沿って移動できるように構成されている。つまり、ナットの位置を軸方向に移動することにより、ナット１５及び軸部材１２がスプリング１６から受ける付勢力を調整できるように構成されている。また、前述の扉３と回転軸１１との係合部は、図２に表したように、扉３の幅方向に一対備えられている。
【００２６】
次に、図３に表したように、窯本体２は、回転軸１１が窯本体２の外側に配置されて、窯本体２には、開口部４側の上面の一端側に、扉３の一端３ａ側を揺動自在に支持する支持部１８を備えている。この支持部１８は、軸方向が扉３の回動方向とは直交する向きに配設された、略円形断面の棒材である。また支持部１８は、窯本体２に固定された軸部１９に対して回動自在に係合している。
【００２７】
次に、回転軸１１が係合した扉の一端３ａは、閉鎖位置（図１の（ａ）に表した位置）において、筒状部材に対して軸方向に寸法Ｍの分だけ離間し、扉の、閉鎖位置から開口部を開放する回動に伴って、該筒状部材に近接して当接し、所定の回動位置において、前記筒状部材の端面に係合して該扉の回動を停止させるように構成されている。
【００２８】
扉３の開閉は、図１（ａ）に表したように、扉３の閉鎖位置において、寸法Ｍの分だけ扉３の一端３ａが固定具１３に対して離間し、次いで、扉３の開放に向かう回動に伴って扉３の一端３ａが、筒状部材１４に除々近接して、図１（ｂ）に表した所定の回動角αに至ると固定具１３を介して筒状部材１４に当接する。この際、支持部１８に対して扉が離間する。次いで、さらに扉３を同じ方向に回動させると、扉３の一端３ａが、固定具１３に対してスライドしてその当接位置を一端３ａの外周に沿って移動し、図１（ｃ）に表したように、一端３ａのストレート部３ｂが固定具３に重なる位置に至ると、その回動を停止する。この際、窯本体２の開口面に対して扉３が鈍角（β）に至った際に、前記の回動が停止するように構成されている。
【００２９】
以下に、前記の構成を有する陶芸窯１の扉３の開閉構造の作用効果を記載する。
【００３０】
本実施例に記載の陶芸窯１の扉３の開閉構造によれば、扉３が窯本体２の開口部４を閉鎖する閉鎖位置において、扉３の他端がレバー５介して窯本体２に向かって付勢されると共に、扉３の一端３ａ側を回動自在に支持する回転軸１１が、軸部材１２、固定具１３、筒状部材１４、ナット１５、スプリング１６、等を介して、窯本体２に向かって付勢されるように構成されているので、繰り返して扉３の開閉動作を行っても、閉鎖位置において扉３と窯本体２との間に間隙が生じることなく、扉３と窯本体２との密着を良好に維持できる。
【００３１】
また、本実施例に記載の陶芸窯１の扉３の開閉構造によれば、ナット１５と軸部材１２との羅合により、軸部材１２の軸方向に沿ってナット１５の位置を移動できるように構成されているので、筒状部材１４とナット１５との間隔を調整し、扉３の一端３ａに対するスプリング１６の付勢力を容易に調整できる。
【００３２】
また、本実施例に記載の陶芸窯１の扉３の開閉構造によれば、窯本体２は、開口部４側の上面の一端側に、扉３の一端側が揺動自在に当接する支持部１８を備え、回転軸１１は、支持部１８を介して、窯本体２の外側に配置されているので、扉３の開閉動作において、この支持部１８を支点として回転軸１１及び扉１３を安定して揺動させることができる。また、この際、支持部１８が軸方向が扉３の回動方向とは直交する向きに配設された略円形断面の棒材で構成され、窯本体２に対して回動自在に係合しているので、扉３がこの支持部１８に当接して揺動する際の摩擦抵抗が低減され、その動作を円滑に行うことができる。
【００３３】
また、本実施例に記載の陶芸窯１の扉３の開閉構造によれば、扉３の一端３ａは、閉鎖位置において、筒状部材１４に対して軸方向に離間し、扉３の閉鎖位置から開口部を開放する回動に伴って、筒状部材１４に近接し固定具１３を介して当接し、所定の回動位置において、固定具１３を介して筒状部材１４の端面に係合して扉３の回動を停止させるように構成されているので、閉鎖位置から開口部４を開放する扉３の回動に伴って、軸部材１２に対するスプリング１６の付勢力が徐々に減少し、開放位置では閉鎖位置より付勢力を低く抑えることができ、スプリング１６の寿命を向上させ、扉３の開閉動作を長期にわたって安定して維持でき、且つ、開放位置から閉鎖位置に向かって扉３を回動させる際に、スプリング１６によって発現する回動に抗する力が抑制され、回動を円滑に行うことができる。
【００３４】
また、本実施例に記載の陶芸窯１の扉３の開閉構造によれば、扉３の開放に向かう回動に伴って、所定の開放位置において、一端３ａのストレート部３ｂが固定具３に重なる位置に至ると、その回動を停止させることができ、操作性に優れたものとなる。
【００３５】
以上、本発明の一実施例について説明したが、本発明は、前記実施例に限定されるものでなく、種各の態様を取ることができる。
【００３６】
例えば、本実施例の陶芸窯１の扉３の開閉構造において、支持部１８として略円形断面の棒部材を備えたが、棒部材を備える代わりに、窯本体のコーナを耐摩耗性に優れた金属や合成樹脂で形成してもよい。
【００３７】
また、本実施例の陶芸窯１の扉３の開閉構造において、軸部材１２を、軸方向に沿って回転軸１１とは反対側へ付勢するコイル状のスプリング１６を備えたが、コイル状のスプリング１６に限定されることなく、筒状部材１４を回転軸１１と反対向きに付勢するものであればよい。
【００３８】
また、本実施例の陶芸窯１の扉３の開閉構造において、筒状部材１４を窯本体２に固定する固定具１３を備えたが、固定具１３を備えることなく、直接、筒状部材１４を窯本体２に固定してもよい。また、回転軸１１と軸部材との接続は、溶接やネジ止めで行ったり、これらを一体に形成したりしてもよい。
【００３９】
また、本実施例の陶芸窯１の扉３の開閉構造において、図１（ｃ）に表したように、扉３と窯本体２の開口面との成す角度βが鈍角のときに、扉３の一端３ａのストレート部３ｂが固定具１３と重なって扉３の開放に向かう回動を停止させるように構成したが、一端３ａにおけるストレート部の位置を変えることにより、角度βを、略直角に近い角度や鋭角等、好みの角度に設定できる。
【図面の簡単な説明】
【００４０】
【図１】本発明の一実施例の、陶芸窯の扉の開閉構造の開閉動作を表す説明図であって、（ａ）が扉の閉鎖位置、（ｂ）が扉の回動途中の位置、（ｃ）が扉の開放位置を表す図である。
【図２】図１中において矢印Ａ方向から表した陶芸窯の外観図である。
【図３】図２中のＹ―Ｙ断面図である。
【符号の説明】
【００４１】
１…陶芸窯、２…窯本体、３…扉、３ａ…一端、３ｂ…ストレート部、４…開口部、５…レバー、６…回転軸、７…パッキン、１１…回転軸、１２…軸部材、１３…固定具、１４…筒状部材、１５…ナット、１６…スプリング、１７…ネジ、１８…支持部、１９…軸２０，２１…支持具。
【図１】
2006200794.tif 000003
【図２】
2006200794.tif 000004
【図３】
2006200794.tif 000005